(57)【要約】【課題】人工透析患者が左腕に刺込まれている透析用血液パイプの左手指等による握持を不要にして、左手首等への負担を解消すると共に、人工透析患者の身体的な疲労をも併せて軽減した人工透析用血液パイプ支持具を提供する。【解決手段】人工透析用血液パイプ支持具において、下方部１がベッドｃのサイドフレームに形成の取付け部材１０の嵌挿孔１１に挿込む挿込み体ａと、上方部９に血液パイプを保持するパイプ保持部８を有するパイプ支持体ｂとを別設し、前記挿込み体ａに対し前記支持体ｂが回動自在に装着せしめた。【選択図】      図１
0003127435.tif 000002
【実用新案登録請求の範囲】
【請求項１】
人工透析用血液パイプ支持具において、
下方部がベッドのサイドフレームに形成の取付け部材の嵌挿孔に挿込む挿込み体と、上方部に血液パイプを保持するパイプ保持部を有するパイプ支持体とを別設し、前記挿込み体に対し前記支持体が回動自在に装着せしめることを特徴とする人工透析用血液パイプ支持具。
【請求項２】
前記パイプ支持体を線材をもって形成し、前記挿込み体の頭部に、前記挿込み体の径より小径状の嵌挿孔を形成し、前記嵌挿孔に前記パイプ支持体の下方部を挿入し、挿入せしめた前記パイプ支持体の下方部が前記嵌挿孔内を自在に回動することを特徴とする請求項１記載の人工透析用血液パイプ支持具。
【請求項３】
前記パイプ支持体のパイプ保持部を湾曲形状とすることを特徴とする請求項１又は同２記載の人工透析用血液パイプ支持具。
【請求項４】
前記挿込み体の外周に、前記ベッドの取付け部材の嵌挿孔への挿込みの高さを調整する挿込み調節部を取着することを特徴とする請求項１又は同２又は同３記載の人工透析用血液パイプ支持具。
【請求項５】
前記挿込み体の外周部に、所定の間隔毎に凹溝を形成し、前記凹溝に前記挿込み調節部に取着の高さ調整ネジの先端部が挿入することを特徴とする請求項１又は同２又は同３又は同４記載の人工透析用血液パイプ支持具。
【考案の詳細な説明】
【技術分野】
【０００１】
本考案は、人工透析用血液パイプ支持具の技術分野に関するものである。
【背景技術】
【０００２】
従来人工透析用の血液回路等のようにチューブより構成される医療用具を吊り下げる際に使用されるハンガーが開示されている。
【０００３】
前記ハンガーは、一方の装着部がスタンドに吊り下げられているが、回転自在には回動しない。
【０００４】
さらに前記ハンガーを吊り下げているスタンドも、回転自在には回動しない。
【０００５】
また従来医療用ドリップチャンバーホルダーが開示されている。
【０００６】
前記医療用ドリップチャンバーホルダーは、人工透析または体外循環等の医療作業従事者の労力を軽減するものであって、被透析者の労力を軽減させるものではない。
【特許文献１】実開平５−６５３４４公開実用新案公報
【特許文献２】第３００７０７９号登録実用新案公報
【考案の開示】
【考案が解決しようとする課題】
【０００７】
しかるに、従来の人工透析患者は、人工透析中、透析用血液パイプが揺動するのを防止するため、前記パイプを左手指等に握持しつづけるのが慣例とされていた。
【０００８】
そして前記人工透析患者に対する透析時間は、１回約４時間程度とされている。
【０００９】
そのため、人工透析患者は、約４時間もの間、ベッドに寝ながら左手指等で血液パイプを握持するので、左手指等に疲労が蓄積し、前記蓄積によって左手首に負担が掛っていた。
【００１０】
しかるに本考案は、人工透析患者が左腕に刺込まれている透析用血液パイプの左手指等による握持を不要にして、左手首等への負担を解消すると共に、人工透析患者の身体的な疲労をも併せて軽減せしめるものである。
【００１１】
さらに本考案は、透析患者に刺込まれている前記人工透析用血液パイプが揺動しても、前記揺動に即応して前記人工透析用血液パイプを回動せしめることが可能なので、注射針が刺込まれている人工透析患者の左手首への負担を著しく軽減した。
【課題を解決するための手段】
【００１２】
本考案の課題を解決するための手段としての請求項１記載の考案は、人工透析用血液パイプ支持具において、下方部がベッドのサイドフレームに形成の取付け部材の嵌挿孔に挿込む挿込み体と、上方部に血液パイプを保持するパイプ保持部を有するパイプ支持体とを別設し、前記挿込み体に対し前記支持体が回動自在に装着せしめることを特徴とする人工透析用血液パイプ支持具である。
【００１３】
さらに本考案の請求項２記載の考案は、前記パイプ支持体を線材をもって形成し、前記挿込み体の頭部に、前記挿込み体の径より小径状の嵌挿孔を形成し、前記嵌挿孔に前記パイプ支持体の下方部を挿入し、挿入せしめた前記パイプ支持体の下方部が前記嵌挿孔内を自在に回動することを特徴とする請求項１記載の人工透析用血液パイプ支持具である。
【００１４】
また本考案の請求項３記載の考案は、前記パイプ支持体のパイプ保持部を湾曲形状とすることを特徴とする請求項１又は同２記載の人工透析用血液パイプ支持具である。
【００１５】
さらに本考案の請求項４記載の考案は、前記挿込み体の外周に、前記ベッドの取付け部材の嵌挿孔への挿込みの高さを調整する挿込み調節部を取着することを特徴とする請求項１又は同２又は同３記載の人工透析用血液パイプ支持具である。
【００１６】
また、本考案の請求項５記載の考案は、前記挿込み体の外周部に、所定の間隔毎に凹溝を形成し、前記凹溝に前記挿込み調節部に取着の高さ調整ネジの先端部が挿入することを特徴とする請求項１又は同２又は同３又は同４記載の人工透析用血液パイプ支持具である。
【考案の効果】
【００１７】
本考案の人工透析用血液パイプ支持具の請求項１記載の考案は、人工透析用血液パイプ支持具において、下方部がベッドのサイドフレームに形成の取付け部材の嵌挿孔に挿込む挿込み体と、上方部に血液パイプを保持するパイプ保持部を有するパイプ支持体とを別設し、前記挿込み体に対し前記支持体が回動自在に装着せしめる人工透析用血液パイプ支持具なので、人工透析患者に刺込まれている血液パイプを前記透析患者が透析時間中、握持しつづけることがない。そのため透析患者の手首にかかる負担を従来に比し著しく軽減すると共に、透析患者の手首への疲労感も著しく減じるに至った。
【００１８】
さらに本考案は、前記パイプ支持体が前記挿込み体に対し回動自在に装着せしめているので、前記血液パイプが前記パイプ支持体のパイプ保持部に嵌挿し保持されているときに、若干揺動しても、スムーズに即応して揺動し、透析患者の手首等に負担がかからない利点を有している。
【００１９】
また本考案の人工透析用血液パイプ支持具の請求項２記載の考案は、前記パイプ支持体を線材をもって形成し、前記挿込み体の頭部に、前記挿込み体の径より小径状の嵌挿孔を形成し、前記嵌挿孔に前記パイプ支持体の下方部を挿入し、挿入せしめた前記パイプ支持体の下方部が前記嵌挿孔内を自在に回動する人工透析用血液パイプ支持具なので、ホース支持体をスムーズに回動せしめ、前記請求項１記載の考案の効果と同じ効果を有している。
【００２０】
さらに本考案の人工透析用血液パイプ支持具の請求項３記載の考案は、前記パイプ支持体のパイプ保持部を湾曲形状とする人工透析用血液パイプ支持具なので、血液パイプを確実に保持せしめる利点を有している。
【００２１】
また本考案は、前記請求項１又は請求項２記載の効果と同じ効果を有している。
【００２２】
さらに本考案の人工透析用血液パイプ支持具の請求項４記載の考案は、前記挿込み体の外周に、前記ベッドの取付け部材の嵌挿孔への挿込みの高さを調整する挿込み調節部を取着する人工透析用血液パイプ支持具なので、透析患者の要求に応じて、前記ホース支持体の高さを自在に調節することができる。
【００２３】
また本考案は前記請求項１又は同２又は同３記載の考案と同じ効果を有している。
【００２４】
さらに本考案の人工透析用血液パイプ支持具の請求項５記載の考案は、凹溝に高さ調整ネジの先端部が挿入するので、挿込み体の高さを確実に決めることができる。
【００２５】
また本考案は、前記請求項１又は同２又は同３又は同４記載の考案と同じ効果を有している
【考案を実施するための最良の形態】
【００２６】
本考案の請求項１〜５記載の考案に関する実施の形態は、共通しているので以下のとおり一括して説明する。
【００２７】
図においてＡは本考案人工透析用血液パイプ支持具（以下「血液パイプ支持具」という。）であり、以下の構成からなっている。
【００２８】
前記血液パイプ支持具Ａは、挿込み体ａとパイプ支持体ｂとからなっている。
【００２９】
前記挿込み体ａは、既設ベッドｃを構成するサイドフレームに形成されている取付け部材１０の嵌挿孔１１に挿込み可能な形状とし、他方頭部２には、頭部２より前記挿込み体ａの下方部にかけて、所定の深さの嵌挿部３を形成する。
【００３０】
さらに前記挿込み体ａの外周部６には、ベッドｃの取付け部材１０の嵌挿孔１１に挿込みをして、高さを調整する挿込み調節部４を嵌挿する。
【００３１】
前記挿込み調節部４には、予めネジを切った穴をあけておき、別設の高さ調整ネジ５を螺入する。
【００３２】
さらに本考案は、前記挿込み体ａの外周に所定の間隔おきに、凹溝６ａを複数形成する。
【００３３】
前記凹溝６ａは、前記高さ調整ネジ５の先端部が確実に挿入する。
【００３４】
前記の構成からなる挿込み体ａの材質は限定しない。
【００３５】
図においてｂは、パイプ支持体であり以下の構成からなっている。
【００３６】
前記パイプ支持体ｂは、通常線材製とし、所定長さの線材を延設し、下方部は、前記挿込み体ａの嵌挿部３に嵌挿可能な形状とする。前記下方部は回転自在とするため直線状とする。他方上方部９は通常直線状である。
【００３７】
さらに前記パイプ支持体ｂは、上方部９に血液パイプ７を保持するパイプ保持部８を延設するか、もしくは別設したものを上方部９に取着せしめても良い。
【００３８】
そして前記パイプ保持部８の形状は、図面図示の形状に限定するものでない。
【００３９】
さらに本考案のパイプ支持体ｂと前記挿込み体ａとを組立てるには、前記挿込み体ａをベッドｃに取着の取付け部材１０の嵌挿孔１１に挿込んでやる。そのとき調整ネジ５付き挿込み調節部４によって挿込み体ａの挿入は、ストップ状態となる。
【００４０】
つぎに前記パイプ支持体ｂの下方部を、前記挿込み体ａの嵌挿部３に嵌挿し組立てる。
【００４１】
前記のように組立てられた前記パイプ支持体ｂは、回動自在である。
【００４２】
本考案の血液パイプ支持具Ａは、上記のような構成からなっている。
【００４３】
図においてｄは人工透析患者である。
【００４４】
図４は、人工透析患者ｄが血液パイプ７を左腕に刺込み透析を受けている状態を示すものである。
【００４５】
本考案の血液パイプ支持具Ａは、前記図面に図示するように、患者ｄの手指には、前記血液パイプ７が握られていない。前記血液パイプ７は、前記支持具Ａのパイプ支持体ｂを構成するパイプ保持部８に保持されている。
【００４６】
上記のように装着せしめられた前記支持具Ａは、透析を受けている患者ｄが、長時間の透析中において、注射針を刺込んでいる方の腕を若干動かしたとしても、前記パイプ支持体ｂは、容易に回動してくれるので、刺込んでいる前記注射針に悪影響を与えたりしない。従って患者ｄは長時間の透析を安心且安全に、しかも手首への負担がかからない。
【図面の簡単な説明】
【００４７】
【図１】本考案人工透析用血液パイプ支持具の斜視図である。
【００４８】
【図２】同支持具の一部切欠縦断正面図である。
【００４９】
【図３】同支持具の右側面図である。
【００５０】
【図４】同支持具を患者が使用している状態の一部切欠斜視図である。
【符号の説明】
【００５１】
Ａ        人工透析用血液パイプ支持具
ａ        挿込み体
ｂ        パイプ支持体
ｃ        ベッド
ｄ        患者
１        下方部
２        頭部
３        嵌挿部
４        挿込み調節部
５        高さ調整ネジ
６        外周部
６ａ      凹溝
７        血液パイプ
８        パイプ保持部
９        上方部
１０      取付け部材
１１      嵌挿孔
【図１】
0003127435.tif 000003
【図２】
0003127435.tif 000004
【図３】
0003127435.tif 000005
【図４】
0003127435.tif 000006